(57)【要約】  本発明は、通常の生活空間の照明として使用でき、ヒトのセロトニン神経系を活性化し、血中ノルアドレナリンレベルを実質的に上昇させず、攻撃性を低下させ、いわゆる「キレる」状態になる要因を低減する作用を有する照明装置を提供することを課題とし、可視光線とともに、波長３２０乃至３８０ｎｍの近紫外線を含有する光を輻射する照明装置を提供することにより、前記課題を解決する。【特許請求の範囲】
【請求項１】
ヒトのセロトニン神経系を活性化させる光を輻射する照明装置。
【請求項２】
ヒトの血液におけるノルアドレナリンレベルを実質的に上昇させない光を輻射する請求の範囲第１項記載の照明装置。
【請求項３】
輻射する光が、可視光線とともに波長３２０以上３８０ｎｍ未満の近紫外線を含有する光であることを特徴とする請求の範囲第１項又は第２項記載の照明装置。
【請求項４】
近紫外線の放射エネルギーが可視光線の３乃至１５％であることを特徴とする請求の範囲第３項記載の照明装置。
【請求項５】
輻射する光が、電球色乃至昼光色（色温度２７００乃至６５００Ｋ）の白色光であり、かつ、平均演色評価数（Ｒａ）が９５以上であることを特徴とする請求の範囲第１項乃至第４項のいずれかに記載の照明装置。
【請求項６】
光源が発光ダイオード（ＬＥＤ）、有機電界発光素子（有機ＥＬ）から選ばれる光源であることを特徴とする請求の範囲第１項乃至第５項のいずれかに記載の照明装置。
【請求項７】
可視光線を輻射する光源、波長３２０乃至３８０ｎｍの近紫外線を輻射する光源、及びそれらの光源を付勢するための電源回路、それらの光源を点灯するための点灯回路及び制御回路を含んでなる請求の範囲第１項乃至第６項のいずれかに記載の照明装置。
【発明の詳細な説明】
【技術分野】
【０００１】
本発明は照明装置に関するものであり、とりわけ、ヒトのセロトニン神経系を活性化させ、血中のノルアドレナリンレベルを実質的に上昇させず、攻撃性を低下させていわゆる「キレる」状態になる要因を低減する作用を有する光を輻射する照明装置に関するものである。
【背景技術】
【０００２】
錯綜した現代社会にあっては、社会構造の変化に伴う職場・地域社会での人間関係における緊張、抑圧、不安、不満、怒り、苛立ちなどの増大から受ける精神ストレス、大気汚染や水質汚染など環境の悪化から受けるストレス、および携帯電話、各種情報表示機器、各種交通手段などから輻射される電磁波によるストレスなど、各種のストレスが増大している。また、近年、生活が夜型になるにつれて、業務が深夜まで続く事が多くなり、また深夜から明け方まで行なわれる仕事も多種多様に増加している。そのような社会情勢の変化の中、ちょっとしたことで衝動的になり攻撃的な行動をとる、いわゆる「キレる」状態になる人が増加し、あげくの果てには無差別殺人にまで至ってしまうこともあり、大きな社会問題となっている。社会構造の変化による精神的な苦痛およびそれが原因となる犯罪等の増加が懸念されることから、「キレる」と称される精神的に不安定な状態を誘発する要因が低減された生活環境の構築が望まれる。【０００３】
ヒトをはじめとする動物の行動における攻撃性にはセロトニン神経系が大きく関与し、セロトニン神経系が不活性化して脳内セロトニンレベルが低下すると、情緒が不安定になり、衝動的・攻撃的な行動を取るようになると言われている（例えば、有田秀穂，「セロトニン欠乏脳」  ＮＨＫ出版  ２００３年参照）。セロトニン神経を活性化して脳内セロトニンレベルを上昇させるには、自然の太陽光を浴びることが有効な方法の一つであるといわれているが、自然の太陽光の強度は強く、冬季うつ病などの治療に行なわれる光療法の場合と同様、太陽光と同じ効果を人工的な照明で得ようとすれば２５００ルクス以上の照度が必要である。一方、通常のオフィスや家庭などの生活空間における夜間や室内の照明の照度は２００〜１０００ルクス程度であり、２５００ルクス以上の照度の人工光の下で長時間過ごすことはかえって苦痛を伴なうため、上記の光療法に用いられる照明装置は通常の生活空間の照明として用いるには適さない。また、人の感情や気分は色により少なからず影響を受けることが古くから言われており、青色の光には心を落ち着かせる効果があり、青色成分を多く含む光にはセロトニンの分泌を促がす作用があることもその要因だといわれている。例えば、その効果を利用して犯罪を減少させることを目的として、街灯等に青色光を輻射する照明が採用される場合も増えているが、日常の生活空間の照明に通常使用されるのは電球色乃至昼光色（色温度約２７００乃至６５００Ｋ）の白色光であって、青色光は演色性等の面で適さない。【０００４】
また、神経伝達物質の一つであるノルアドレナリンは、攻撃性が高まる場合には血中レベルが上昇することが知られており、攻撃性に関与する神経伝達物質の一つであると考えられている（例えば、ランディＪ．ネルソン等著、『ニューラル・メカニズム・オブ・アグレッション』、ネイチャーレヴュー／ニューロサイエンス、第８巻、５３６〜５４６頁、２００７年  （Randy  J.Nelson  and  Brian  C.Trainor,  “Neural  mechanisms  ofaggression”,  Naturereviews/Neuroscience,  Vol.8,  pp.536-546  (2007)参照）。【０００５】
しかしながら、通常の生活空間の照明として用いられる白色光で、かつ、通常の照明として使用できる照度においてもヒトのセロトニン神経系を活性化し、血中ノルアドレナリンのレベルを上昇させずに、攻撃性を低下させて「キレる」状態になる要因を低減する光を輻射する照明装置については、これまで知られていない。
【発明の開示】
【０００６】
斯かる状況に鑑み、本発明は、通常の夜間または室内の照明装置として使用することにより、ヒトのセロトニン神経系を活性化し、ノルアドレナリンの血中レベルを上昇させない作用を有し、生活環境において、ちょっとしたことで衝動的・攻撃的な行動を起こしてしまう、いわゆる「キレる」状態になる要因を低減させることのできる照明装置を提供することを課題とする。
【０００７】
本発明者が、「キレる」状態になる要因を抑制する作用と光との関係について鋭意研究したところ、意外にも、波長３８０ｎｍ以上７８０ｎｍ以下の可視光線成分（以下、本願明細書においては、可視光線と呼ぶ）とともに、波長３２０以上３８０ｎｍ未満の近紫外線を含む光は、ヒトのセロトニン神経系を活性化させる作用を有することを見出し、さらに、血中ノルアドレナリンレベルを実質的に向上させない作用を有することを見出した。そして、そのような光を輻射する光源を用いた照明装置を通常の夜間又は室内の照明として用いると、ヒトのセロトニン神経系を活性化し、血中ノルアドレナリンレベルを実質的に向上させず、ヒトが「キレる」状態になる要因を低減させることを見出し、本発明を完成した。
【０００８】
すなわち、本発明は、可視光線とともに波長３２０以上３８０ｎｍ未満の近紫外線を含む光を輻射する照明装置を提供することによって、前記課題を解決するものである。
【０００９】
本発明の照明装置は、通常の照明装置として使用するだけで、ヒトのセロトニン神経系を活性化し、血中ノルアドレナリンレベルを実質的に向上させず、攻撃性を抑制して「キレる」状態になるのを抑制することができる。
【図面の簡単な説明】
【００１０】
【図１】本発明による実施態様１の照明装置の構成図である。
【図２】本発明による実施態様１の照明装置の輻射する光の発光スペクトルである。
【図３】本発明による実施態様２の照明装置の構成図である。
【符号の説明】
【００１１】
ＬＤ１１１〜ＬＤ１ｍｎ  可視光線を輻射するＬＥＤ
ＬＤ２１１〜ＬＤ２ｉｊ  近紫外線を輻射するＬＥＤ
３  商用交流電源
４，５  電源回路部
６，７  点灯回路部
８  制御回路部
ＥＬ９１１〜ＥＬ９ｍｎ  可視光線を輻射する有機ＥＬ
ＬＤ１０１１〜ＬＤ１０ｉｊ  近紫外線を輻射するＬＥＤ
１１，１２  電源回路部
１３，１４  点灯回路部
１５  制御回路部
【発明を実施するための最良の形態】
【００１２】
本発明でいうところの、ヒトのセロトニン神経系の活性化とは、脳内セロトニンレベルが上昇し、精神的に安定な状態が維持されるようになることをいう。有田秀穂，「セロトニン欠乏脳」  ＮＨＫ出版  ２００３年参照によれば、脳内セロトニンレベルは血中又は尿中のセロトニン濃度と正の相関があるため、血中又は尿中のセロトニン濃度を測定することにより、脳内セロトニンレベルが上昇してセロトニン神経系が活性化したかどうかを判定することができる。【００１３】
本発明でいうところの、血中ノルアドレナリンレベルを上昇させないとは、ある照明の下で精神的に負荷のかかる作業を行なった際に、作業前後で血中のノルアドレナリンの濃度が実質的に変化しないことをいう。【００１４】
本発明による照明装置の構成について説明すれば、本発明の照明装置は、通常の夜間又は室内の照明として使用した場合にヒトのセロトニン神経系を活性化させ、血中のノルアドレナリンレベルを上昇させない光を輻射する光源、及びその光源を付勢する電源装置、その光源からの光の放射強度を制御する制御装置を含んでなる。【００１５】
かかる照明装置は、可視光線とともに波長３２０以上３８０ｎｍ未満の近紫外線を含み、通常の夜間又は室内の照明として使用したときにヒトのセロトニン神経系を活性化させ、血中のノルアドレナリンレベルを上昇させない光を輻射するものであれば、それに使用する光源、電源装置、制御装置に特に制限はない。本発明の照明装置により輻射される光としては、波長３２０乃至３８０ｎｍの近紫外線が可視光線の放射エネルギー（放射照度（Ｗ／ｃｍ２／ｎｍ））に対して３乃至１５％、望ましくは５乃至１０％含まれるものが好適である。波長３２０乃至３８０ｎｍの近紫外線の放射エネルギーが可視光線の３％よりも少ない場合は、本発明の効果を充分得ることができない。また、１５％を越えた場合は、近紫外線成分の増加による本発明の効果の増強は認められず、長時間の照射により肌や紫外線に対して感受性の高いものが紫外線による影響を受ける恐れがある。また、本発明の照明装置が輻射する近紫外線としては、生体に比較的強い影響を及ぼす恐れのある、波長が３００ｎｍよりも短い光を含まないものが望ましい。なお、本発明の照明装置は通常の夜間又は室内の照明として使用されるものであるから、全体として電球色乃至昼光色、望ましくは３５００乃至５０００Ｋの白色光を輻射し、照射面において２００ルクス以上、望ましくは５００乃至１０００ルクスの照度、及び平均演色評価数（Ｒａ）９０以上、望ましくは９５以上の高い演色性が得られるものが望ましい。【００１６】
本発明の照明装置に用いる光源としては、発光ダイオード（ＬＥＤ）、有機電界発光素子（有機ＥＬ）、無機電界発光素子（無機ＥＬ）、白熱電球、蛍光灯、無電極蛍光灯、放電灯などが利用できる。これらの光源のうち、ＬＥＤ及び有機ＥＬは、発光効率が高く消費電力が低い、長寿命である、サイズが小さく取り扱やすい、水銀などの有害成分を含まない、赤外線の放出が少なく熱の発生を抑えた光源が得られる、消費電力が小さいなどの特徴を有しており、本発明の光源として特に優れている。可視光成分の光を輻射するＬＥＤとしては、青色光を放射する半導体発光素子を励起光源に用い、赤及び緑それぞれの色の蛍光を放射する各種蛍光体を組合わせて白色光を輻射するようにしたＬＥＤ光源が、３原色光を含むために高い演色性が得られるので望ましい。さらに、近紫外線〜紫色光を放射する半導体発光素子を励起光源に用い、その励起光により赤、緑、及び青それぞれの色の蛍光を放射する各種蛍光体を組合わせて白色光を輻射するようにしたＬＥＤ光源は、高い演色性が得られるのに加え、本発明の照明装置において好ましい近紫外線領域の光と可視光線を同時に輻射することができることから特に望ましい。【００１７】
本発明の照明装置に用いる光源としては、本発明の効果を奏する限り、上記の可視光線を輻射する光源と波長３２０乃至３８０ｎｍの近紫外線を輻射する光源とを組合わせて使用したものでも、可視光線とともに波長３２０乃至３８０ｎｍの近紫外線を含む光を輻射する単一の光源を使用したものでも構わない。可視光線を輻射する光源と波長３２０乃至３８０ｎｍの近紫外線を輻射する光源とを組合わせて使用する場合は、両光源からの光が混合されるように両光源を配置するのが望ましく、拡散性のスクリーン、反射板、レンズ等を用いて、照射面において色や輝度のムラが無い均一な光が得られるようにするのがより望ましい。【００１８】
また、紫外線成分を比較的多く含む光を輻射する光源を用いる場合、適宜の紫外線を吸収するフィルターを用いて目や肌に悪影響を及ぼす波長領域の有害な紫外線成分を除去し、３２０乃至３８０ｎｍの近紫外線が可視光線の放射エネルギーに対して３乃至１５％含まれる光とすることが望ましい。さらに、可視光成分に対して紫外線成分が少ないが光量が比較的多い光を輻射する光源を用いる場合、適宜のフィルターを用いて可視光領域の成分を低減させて、３２０乃至３８０ｎｍの近紫外線が可視光線の放射エネルギーに対して３乃至１５％含まれる光とし、本発明の照明装置に使用することも適宜実施できる。【００１９】
本発明の照明装置の形状・形態は、その用途によって適宜のものとすることができる。すなわち、本発明の照明装置により、例えば、個人住宅、マンション、アパート、団地などの住宅や、例えば、図書館、学校、スタジオ、美容院、病院、工場、社屋、事務所、旅館、ホテル、レストラン、宴会場、結婚式場、会議場、商店、スーパーマーケット、デパート、美術館、博物館、演奏会場、ホール、航空機、車輌、体育館、競技場、畜舎、鶏舎、養魚場、動物工場、植物工場などの各種施設の室内外を照明するには、前述のような光源とそれを付勢するための電源手段を、例えば、アームライト、デスクランプ、ハリケーンランプ、テーブルランプ、ミニランプなどの卓上照明器具か、或は、例えば、棚下付け灯、天井付け灯、ダウンライト、壁付け灯、吊り下げ灯、シャンデリア、スワッグランプ、フロアランプ、庭園灯、門灯などの室内外用照明器具に収容するか取付けるとともに、それら照明器具を住宅や施設における書斎、アトリエ、子供部屋、寝室、リビングルーム、ダイニングルーム、キッチン、トイレ、洗面所、浴室、廊下、階段、バルコニー、玄関、閲覧室、教室、ホール、ロビー、待合室、治療室、手術室、制御室、事務室、製図室、実験室、ラウンジ、客室、クラークルーム、調理室、運転室、飼育室、栽培室における室内外の適所に据付けるか取付ければよい。【００２０】
以下、本発明の照明装置の実施の形態について、実施態様を例示して説明する。なお、本発明は、下記の実施態様により限定されるものではない。【００２１】
図１に示すのは、本発明の照明装置の実施態様１として、光源にＬＥＤを用いた最も基本的な構成図である。図１において、ＬＤ１１１〜ＬＤ１ｍｎは白色（色温度約４０００Ｋ）の可視光線を輻射するＬＥＤ、ＬＤ２１１〜ＬＤ２ｉｊは波長３７０ｎｍ付近にピークを有する近紫外線を輻射するＬＥＤである。使用するＬＤ１およびＬＤ２は、当該照明装置から輻射される光において、波長３２０乃至３８０ｎｍの近紫外線の放射エネルギーが可視光線の３〜１５％となる限り、それぞれ任意の個数を直列、並列又は直並列接続したものを組合わせて使用できる。３は商用の交流電源であり、４，５はそれぞれ可視光線を輻射するＬＥＤ（ＬＤ１）及び近紫外線を輻射するＬＥＤ（ＬＤ２）に印加するための直流電圧を交流電源３から得るための電源回路部、６，７は、それぞれ可視光線を輻射するＬＥＤ（ＬＤ１）及び近紫外線を輻射するＬＥＤ（ＬＤ２）を点灯させるための点灯回路部であり、当該照明装置から輻射される光において、波長３２０乃至３８０ｎｍの近紫外線の放射エネルギーが可視光線の３〜１５％、望ましくは５〜１０％となるよう、制御部８により調光制御されている。図２は、当該照明装置の発光スペクトルの一例であり、波長３７０ｎｍ付近のピークはＬＤ２、波長４２０ｎｍ、４６０ｎｍ、５３０ｎｍ及び６２０ｎｍのピークは、ＬＤ１によるものである。ＬＤ２に使用するＬＥＤとしては、本発明の効果を奏するものである限り特に制限はなく、適宜の市販の近紫外線ＬＥＤが使用できる。また、ＬＤ１に使用するＬＥＤとしては、本発明の効果を奏するものである限り特に制限はないが、演色性の面からは、近紫外線〜紫色の光を放射する適宜の半導体発光素子を励起光源に用い、近紫外線〜紫色の励起光により赤、緑、及び青それぞれの色の蛍光を放射する適宜の蛍光体を組合わせて白色光を輻射するようにしたＬＥＤが望ましい。一例として、赤色蛍光体としては（Ｓｒ，Ｃａ）ＡｌＳｉＮ３：Ｅｕ、青色蛍光体としては、ＢａＭｇＥｕＡｌ１０Ｏ１７、緑色蛍光体としては、（Ｂａ，Ｓｒ）２ＳｉＯ４：Ｅｕの組成を有するものを主体とする蛍光体を使用し、ＩｎＧａＮ系材料からなる発光層を有するＧａＮ系半導体発光素子を用いて白色光を輻射するように調製されたＬＥＤ光源をＬＤ１として用いた場合、本発明の照明装置の平均演色評価数（Ｒａ）を９５以上とすることができる。また、当該ＬＥＤ光源において３２０ｎｍ〜３８０ｎｍの近紫外線〜紫色の光も輻射させるようにしたものをＬＤ１として使用することにより、ＬＤ１に対してＬＤ２の使用量を少なくすることもでき、さらには、ＬＤ１光源のみを用いることも可能である。当該照明装置で使用する電源回路、点灯回路、制御回路には、本発明の効果を奏功する限り、どのような方式を用いても構わないが、点灯効率が優れ、明るさの変動の少ない点で、定電流点灯方式、デューティー制御方式、ダイナミック点灯方式などが有利に利用できる。【００２２】
図３に示すのは、本発明の照明装置の実施態様２として、赤色光、青色光、及び緑色光を放射する有機電界発光素子を組み合わせて白色光を輻射するようにした有機ＥＬパネルを光源として用い、近紫外線領域の光を輻射する光源としてＬＥＤを用いた照明装置の構成図である。図３において、ＥＬ９１１〜ＥＬ９ｍｎはピラン誘導体を用いた白色光有機ＥＬ、ＬＤ１０１１〜ＬＤ１０ｉｊは波長３７５ｎｍ付近にピークを有する近紫外線を輻射するＬＥＤである。使用するＥＬ９およびＬＤ１０は、当該照明装置から輻射される光において、波長３２０乃至３８０ｎｍの近紫外線の放射エネルギーが可視光線の３〜１５％となる限り、それぞれ任意の個数を直列、並列又は直並列接続したものを組合わせて使用できる。１１，１２は、それぞれ白色光有機ＥＬ（ＥＬ９）及び近紫外線を輻射するＬＥＤ（ＬＤ１０）に印加するための直流電圧を交流電源３から得るための電源回路部、１３，１４は、それぞれ白色光有機ＥＬ及び近紫外線を輻射するＬＥＤを点灯させるための点灯回路部であり、当該照明装置から輻射される光において波長３２０乃至３８０ｎｍの近紫外線の放射エネルギーが可視光線に対して３〜１５％となるよう、制御部１５により調光制御されている。当該照明装置は色温度約５５００Ｋの昼白色の光を輻射する照明装置であり、輻射される可視光線の領域においては波長４６０ｎｍ、５００ｎｍ及び５９５ｎｍ付近にそれぞれ発光極大を有し、ＣＩＥによるｘｙ色度図上における色座標においてｘが０．３乃至０．３５、ｙが０．３乃至０．４のきわめて色純度が良く、演色性に優れた白色光を得ることができる。当該照明装置の光源に用いる有機ＥＬ素子に使用する発光体としては、ピラン誘導体の他、ベンゾピラン誘導体、クマリン誘導体、シアノクマリン誘導体なども有利に使用できる（例えば、特開２００５−２４７９７６）。【００２３】
以下、実施例にて本発明の照明装置をさらに詳細に説明する。
【実施例１】
【００２４】
＜実験１：当該照明装置がヒトのセロトニン神経系に及ぼす影響＞
本発明による照明装置がヒトのセロトニン神経系に与える影響を調べるため、成人男性６０名（年齢２０乃至５０歳）によるパネルテストを行なった。すなわち、被験者を無作為に１０人ずつ６つのグループに分け、４グループについては、夜間の照明として放射エネルギー３２０ｎｍ〜３８０ｎｍの近紫外線のを可視光線の放射エネルギーに対してそれぞれ３，５，１０，１５％に調整した実施態様１の照明装置をスタンド照明に用いて、机面における照度を７００ルクスとし、１日２時間以上の読書等のデスクワークをして１週間過ごしてもらった（試験区１〜４）。残りの２グループについては、一方は近紫外線を輻射するＬＥＤを点灯させない以外は試験区と同じ条件で（対照区１）、もう一方は１５Ｗの温白色蛍光灯（色温度約３５００）を１００Ｖの定格電圧で点灯させたものを照明として用い（対照区２）、試験区と同様に１週間過ごしてもらった。なお、対照区２に用いた蛍光灯が輻射する光において、可視光線に対する近紫外線の放射エネルギーは約１％であった。試験開始前、及び試験期間最終日に各被験者の尿を採取し、６Ｍ塩酸を加えて−２０℃で保存した。解凍後、市販のセロトニン測定試薬「Ｓｅｒｏｔｏｎｉｎ  ＥＩＡ」（Ｌａｂｏｒ  Ｄｉａｇｎｏｓｔｉｋａ  Ｎｏｒｄ社製）を用いて尿中セロトニン濃度を測定した。次式により試験前の尿中セロトニン濃度に対する試験後のセロトニン濃度の増加率を求め、グループ毎にその平均値を算出したものを、表１に示した。
増加率（％）＝｛（試験後のセロトニン濃度−試験前のセロトニン濃度）／試験前のセロトニン濃度｝  ×  １００【００２５】
【表１】
2010041717.tif 000002
【００２６】
表１の結果から明らかなように、近紫外線をほとんど含まないＬＥＤ光源および蛍光灯の下で過ごした被験者（対照区１、２）においては、尿中セロトニンの増加率が５％より低く、試験前後での尿中セロトニン濃度は同程度であった。それに対し、近紫外線を可視光線の放射エネルギーの３％以上含む照明下で過ごした被験者（試験区１〜４）においては、尿中セロトニン濃度は、試験前と比較して約２０％以上増加し、尿中セロトニンの増加率は、可視光線に対する近紫外線強度が増大するにつれて増加した。尿中セロトニンの増加率は、可視光線に対する紫外線強度が５％以上では３０〜４０％となった。上記の結果は、近紫外線を可視光線の放射エネルギーに対して３〜１５％、望ましくは５〜１０％含有する光を照射することにより、ヒトのセロトニン神経系が活性化されることを物語っており、本実験により、当該照明装置によって、セロトニン神経系が活性化され、いわゆる「キレる」状態になる要因が低減されることが明らかとなった。
【実施例２】
【００２７】
＜実験２：本発明の照明がノルアドレナリンレベルに及ぼす影響＞
成人男性２０名（年齢２０乃至５０歳）によるパネルテストを行なった。すなわち、被験者を無作為に１０人ずつ２つのグループに分け、１つのグループについては、実験１で用いた照明のうち、近紫外線のエネルギーを可視光線に対して５％に調整した照明装置をスタンド照明に用いて、作業負荷としてメトロノームの音が鳴る環境下でクレペリンテストによる単純加算作業を1時間行なってもらった（試験区）。作業負荷前および終了後に静脈血を採血し、血中ノルアドレナリンレベルを測定した。残りのグループにおいては、照明として実験１で用いた照明のうち、近紫外線ＬＥＤを点灯させない以外は試験区と同様の試験を行なった（対照区）。血中ノルアドレナリンレベルの測定は株式会社ＳＲＬに依頼した。得られた測定値をグループ毎に平均して求めた値を表２に示す。【００２８】
【表２】
2010041717.tif 000003
【００２９】
対照区においては、被験者１０名の内９名において、作業負荷後の血中ノルアドレナリンレベルの上昇が認められ、その上昇率は負荷前に比べて平均で１０％以上であった。一方、試験区においては、血中ノルアドレナリンレベルは作業負荷前後で有意な変化はなかった。以上の結果から、３２０ｎｍ〜３８０ｎｍの近紫外線成分を含む光を輻射する本願発明の照明装置を用いると、負荷作業がかかったヒトにおける血中ノルアドレナリンレベルが実質的に上昇しないことがわかった。なお、対照区においては、７名の被験者がクレペリンテスト後に目の疲れを感じていたのに対し、試験区においては特に目の疲れを感じた被験者はいなかった。本発明の照明装置は、眼精疲労を起こしにくい効果も奏すると考えられた。
【実施例３】
【００３０】
＜実験３：当該照明装置のマウスの攻撃性に及ぼす影響＞
７週齢のＢＡＬＢ／Ｃ系統のマウスの雄３０匹を、１０匹ずつの３グループに分け、１２時間ずつの明暗サイクルの環境下で、粉末飼料および水を自由摂取させて１週間隔離飼育した。１つのグループは、明時の照明に実施態様１に記載の本発明の照明装置において近紫外線の放射エネルギーを可視光線に対して１０％としたものを使用し、暗時には何も点灯させない条件で飼育した（試験区）。他の２グループは、明時の照明に近紫外線光源を点灯させない以外は試験区と同じ照明を用い、一方は暗時には何も点灯させず（対照区１）、もう一方は、暗示に近紫外線光源のみを試験区と同じ強度で照射させた条件で飼育した。いずれも明時のケージ床における照度を約５００ルクスとした。【００３１】
１週間飼育後、それぞれのマウスについて、下記の方法で攻撃性を観察した。すなわち、それぞれのマウスを透明なプラスチック容器に入れ、粉末飼料および水を自由摂取させて通常飼育した同週齢のｄｄｙ系マウスと１対１で敵対させ、攻撃行動として噛付き行為及び威嚇行為を５分間の間に行なった回数を計測した。試験区および対照区２における攻撃性を、対照区１における攻撃行動の回数を１００としたときの攻撃回数の相対値として求め、それぞれのグループ内の攻撃性の平均値を表２に示した。また、攻撃性測定終了後の各マウスの脳から前頭葉皮質を摘出し、０．１％アスコルビン酸を含む緩衝液にホモジネートさせて−２０℃で保存した。解凍後、市販のセロトニン測定試薬「Ｓｅｒｏｔｏｎｉｎ  Ｒｅｓｅａｒｃｈ  ＥＩＡ」（Ｌａｂｏｒ  Ｄｉａｇｎｏｓｔｉｋａ  Ｎｏｒｄ社製）を用いて脳内セロトニン濃度を測定した。対照区１における脳内セロトニン濃度を１００としたときの対照区２および試験区の相対セロトニン濃度を求めた結果を表３に示した。【００３２】
【表３】
2010041717.tif 000004
【００３３】
近紫外線照射を暗時にのみ行なった対照区２のマウスにおいては、攻撃性、脳内セロトニン濃度は対照区１と比較して差異が認められなかった。一方、本発明の照明下で飼育した試験区のマウスにおいては、対照区１と比較して攻撃性が低下し、脳内セロトニン濃度も高かった。以上のことから、本発明の照明装置は、動物のセロトニン神経系を活性化させて攻撃性を低下させる効果を有し、その効果は可視光線又は近紫外線単独ではなく、可視光線と近紫外線の両方を含む光を照射することにより奏せられることがわかった。
【産業上の利用可能性】
【００３４】
以上説明したように、本発明の照明装置は、日常の生活空間における夜間照明として使用でき、セロトニン神経系を活性化させ、血中ノルアドレナリンレベルを実質的に上昇させないことにより、人をはじめとする動物の攻撃性を抑制する効果を有する照明装置である。本発明は、それを使用することにより、衝動的・攻撃的ないわゆる「キレる」状態になる要因を低減し、異常行動や犯罪等を抑止するという実益が期待できる点で、社会にとって有益な発明である。
【図１】
2010041717.tif 000005
【図２】
2010041717.tif 000006
【図３】
2010041717.tif 000007
【国際調査報告】
2010041717.tif 000008
2010041717.tif 000009